(57)【特許請求の範囲】
【請求項１】
布地ケア組成物であって、
ａ）環状シロキサンを特徴とする親油性流体と、
ｂ）永続性香料成分、匂い検出閾値の低い香料成分、及びこれらの混合物から成る群より選択される持続性香料成分を特徴とする香料組成物と
を含んでなり
前記環状シロキサンが、少なくとも９０重量％のデカメチルシクロペンタシロキサン及び５重量％未満のオクタメチルシクロテトラシロキサンを含み、
前記永続性香料成分が、アリルシクロヘキサンプロピオネート、アンブレットリド、アミルベンゾエート、アミルシンナメート、アミルシンナミックアルデヒド、アミルシンナミックアルデヒドジメチルアセタール、イソ−アミルサリチラート、ヒドロキシシトロネラール−メチルアントラニレート、ベンゾフェノン、ベンジルサリチラート、イソ−ブチルキノリン、ベータ−カリオフィレン、カジネン、セドロール、セドリルアセテート、セドリルホルメート、シンナミルシンナメート、シクロヘキシルサリチラート、シクラメンアルデヒド、ジヒドロイソジャスモネート、ジフェニルメタン、ジフェニルオキシド、ドデカラクトン、１−（１，２，３，４，５，６，７，８−オクタヒドロ−２，３，８，８−テトラメチル−２−ナフタレニル）−エタノン、エチレンブラシレート、エチルメチルフェニルグリシデート、エチルウンデシレネート、イソ−オイゲノール、１５−ヒドロキシペンタデカン酸ラクトン、１，３，４，６，７，８−ヘキサヒドロ−４，６，６，７，８，８−ヘキサメチルシクロペンタ−ガンマ−２−ベンゾピラン、ゲラニルアンスラニレート、ヘキサデカノリド、ヘキシニルサリチラート、ヘキシルシンナミックアルデヒド、ヘキシルサリチラート、パラ−第三級−ブチル−アルファ−メチルヒドロシンナミックアルデヒド、リナリルベンゾエート、２−メトキシナフタレン、メチルシンナメート、メチルジヒドロジャスモネート、ベータ−メチルナフチルケトン、ムスクインダノン、ムスクケトン、ムスクチベチン、ミリスチン、デルタ−ノナラクトン、オキサヘキサデカノリド−１０、オキサヘキサデカノイリド−１１、パチョリアルコール、５−アセチル−１，１，２，３，３，６−ヘキサメチリンダン、フェニルエチルベンゾエート、フェニルエチルフェニルアセテート、フェニルヘプタノール、フェニルヘキサノール、アルファ−サンタロール、１５−ヒドロキシペンタデカン酸ラクトン、トナリド、デルタ−ウンデカラクトン、ガンマ−ウンデカラクトン、ベチベリルアセテート、ヤラ−ヤラ、アリルフェノキシアセテート、シンナミックアルコール、シンナミックアルデヒド、シンナミックホルメート、クマリン、ジメチルベンジルカルビニルアセテート、エチルシンナメート、エチルバニリン（３−メトキシ−４−エトキシベンザルデヒド）、オイゲノール、オイゲニルアセテート、ヘリオトロピン、インドール、イソオイゲノール、コアボン、メチル−ベータ−ナフチルケトン、メチルシンナメート、メチルジヒドロジャスモナート、ベータメチルナフチルケトン、メチル−ｎ−メチルアンスラニレート、デルタ−ノナラクトン、ガンマ−ノナラクトン、パラメトキシアセトフェノン（アセトアニソール）、フェノキシエチルイソブチレート、フェノキシエチルプロピオネート、ピペロナール、トリエチルシトレート、バニリン、メチル−Ｎ−メチルアンスラニレート、ベンジルブチレート、ベンジルイソバレレート、シトロネリルイソブチレート、シトロネリルプロピオネート、デルタ−ノナラクトン、ジメチルベンジルカルビニルアセテート、ドデカナール、ゲラニルアセテート、ゲラニルイソブチレート、ガンマ−イオノン、パラ−イソプロピルフェニルアセトアルデヒド、シス−ジャスモン、メチルオイゲノール、ヒドロキシシトロネラール、フェノキシエタノール、ベンジルイソバレレート、アニスアルデヒド、クミンアルコール、シス−ジャスモン、メチルオイゲノール、及びこれらの混合物からなる群より選択され、
前記匂い検出閾値の低い香料成分が、アリルアミルグリコレート、アンブロックス、アネトール、バクダノール、ベンジルアセトン、ベンジルサリチラート、ブチルアンスラニレート、カロン、セタロックス、シンナミックアルコール、クマリン、シクロガルバネート、シクラルＣ、サイマール、ダマセノン、アルファ−ダマスコーン、４−デセナール、ジヒドロイソジャスモネート、ガンマ−ドデカラクトン、エバノール、エチルアンスラニレート、エチル−２−メチルブチレート、エチルメチルフェニルグリシデート、エチルバニリン、オイゲノール、フロアセテート、フロヒドラル、フラクトン、フラテン、ヘリオトロピン、ヘルババート、シス−３−ヘキサニルサリチラート、インドール、アルファ−イオノン、ベータ−イオノン、イソ−シクロシトラール、イソオイゲノール、アルファ−イソメチルイオノン、ケトン、リリアール、リナロール、リラ−ル、メチルアントラニレート、メチルジヒドロジャスモネート、メチルヘプチンカルボネート、メチルイソブテニルテトラヒドロピラン、メチルベータナフチルケトン、メチルノニルケトン、ベータナフトールメチルエーテル、ネロール、パラ−アニスアルデヒド、パラヒドロキシフェニルブタノン、フェニルアセトアルデヒド、ガンマ−ウンデカラクトン、ウンデシレンアルデヒド、及びこれらの混合物からなる群より選択される、布地ケア組成物。
【請求項２】
前記環状シロキサンが、実質的にオクタメチルシクロテトラシロキサンを含まない、請求項１に記載の布地ケア組成物。
【請求項３】
前記永続性香料成分が、２４０℃以上の沸点を有する請求項１に記載の布地ケア組成物。
【請求項４】
前記布地ケア組成物は、前記香料組成物が前記組成物の０．０１重量％〜５重量％であることを特徴とする、請求項１に記載の布地ケア組成物。
【請求項５】
前記香料組成物は、前記持続性香料成分が前記組成物の少なくとも２５重量％であることを特徴とする、請求項１に記載の布地ケア組成物。
【請求項６】
前記組成物は、前記香料組成物が前記組成物の０．０００１重量％〜０．２重量％であることを特徴とする、請求項１に記載の布地ケア組成物。
【請求項７】
前記組成物は、前記親油性流体が前記組成物の少なくとも５０重量％であることを特徴とする、請求項１に記載の布地ケア組成物。
【請求項８】
前記組成物は、さらに水が前記組成物の５０重量％未満であることを特徴とする、請求項１に記載の布地ケア組成物。
【請求項９】
前記組成物が、さらに乳化剤によって特徴付けられる請求項１に記載の布地ケア組成物。
【請求項１０】
布地と請求項１に記載の布地ケア組成物を、布地が処理されるように接触させることを特徴とする処理に必要とされる布地処理方法。
【請求項１１】
布地と請求項１に記載の布地ケア組成物を、前記香料組成物の有効量が前記布地に供給されるように接触させることを特徴とする、布地への香料組成物の供給方法。
【請求項１２】
香料供給システムであって、
ａ）請求項１に記載の親油性流体と、
ｂ）請求項１に記載の香料組成物と、
該香料組成物が前記布地に接触することで布地に供給されることを特徴とする香料供給システム。
【請求項１３】
布地と布地ケア組成物を接触させる段階を特徴とする処理を必要とする布地の処理のため、前記布地ケア組成物を用いる説明と組み合わせて梱包される、請求項１に記載の布地ケア組成物を特徴とする製造物品。
【請求項１４】
請求項１に記載の親油性流体と香料組成物を特徴とする蒸気相による処理を必要とする布地物品を接触させる段階を特徴とする、前記香料組成物による処理を必要とする布地物品の処理方法。
【請求項１５】
処理を必要とする布地物品を、請求項１に記載の親油性流体と香料組成物を特徴とする布地ケア組成物と接触させる段階を特徴とする、前記香料組成物による処理を必要とする布地物品の処理方法であって、布地ケア組成物を衝突ガスの流れ中に配置する際に、前記香料組成物が布地物品に適用されるような形態である処理方法。
【発明の詳細な説明】
【０００１】
（関連出願）
本出願は、米国特許法第１１９条（ｅ）項の下に、２０００年６月５日にすべて出願された、米国特許仮出願、出願第６０／２０９，４６８号、第６０／２０９，２５０号、第６０／２０９，４４３号、及び第６０／２０９，４４４号の優先権、及び米国特許法第１１９条（ｅ）項の下に、２０００年１１月９日に出願された、米国特許仮出願、出願第６０／２４７，１３５号の優先権を主張する。
【０００２】
（発明の分野）
本発明は、香料を含んでなる布地ケア組成物、そのような組成物の使用方法、及び親油性流体処理工程においてこれらを使用するシステムに関する。さらに詳しくは、本発明は、布地ケア組成物及び香料を含んでなるシステム、親油性流体による衣類のクリーニング及び処理におけるこのような組成物の使用方法に関する。
【０００３】
（発明の背景）
何世紀もの間、布地物品は水を主体とする工程を用いて洗浄されてきた。この家事は前世紀には自動洗濯機の開発により、大幅に簡易化された。しかし、家庭内洗濯工程は大幅に簡易化されたが、自動洗濯機を使用する家庭内洗濯工程でさえ、色及び繊維製品により布地物品を事前に分類するという著しい量の仕分け作業がなお必要とされる。通常、白物は色付きの布地とは別に洗濯され、そして鮮やかな色付きの布地物品（例えば、暗赤色及び青）はそれほどまでは色付けされていない物品とは別にして洗濯される。洗濯する布地物品が「ドライクリーニング専用」物品を含む場合には、更に分類及び処置が必要である。
【０００４】
ごく最近では、節水努力及び環境への懸念から、洗濯機製造会社及び洗濯洗剤製造会社は家庭内洗濯工程に必要な水量を減少することを余儀なくされている。しかしこうした努力は、主に水を主体とする工程から洗浄媒体を変えることにではなく、洗浄媒体により水の消費を減少することに集中してきた。
【０００５】
並行して商業用ドライクリーニング工程用洗浄媒体としての「Ｐｅｒｃ」（パークロロエチレン（perchloroethylene）の略））の使用に関する懸念が起きてきた。こうした懸念により、Ｐｅｒｃを主体とする工程の代案の開発が著しい数で提議されたが、今までのところ他のすべての代案は今だに広く用いられていない。例としては炭化水素及び液体二酸化炭素が挙げられる。商業的なドライクリーニング分野においてより最近に提案されたオプションには、市販のドライクリーニング分野におけるＰｅｒｃの代替として、「ドライクリーニング専用」のクリーニング溶液としてシロキサンの使用が挙げられる（例えば、１９９９年８月２４日の米国特許第５，９４２，００７号、２０００年３月２８日の米国特許第６，０４２，６１７号及び米国特許第６，０４２，６１８号、２０００年５月２日の米国特許第６，０５６，７８９号、２０００年５月９日の米国特許第６，０５９，８４５号、及び２０００年５月１６日の米国特許第６，０６３，１３５号を参照のこと）。
【０００６】
家庭内自動洗濯工程のさらなる単純化及び水のみを主体とした家庭内洗濯工程への依存からの脱却は、家庭内洗濯工程に親油性流体を基にした洗浄媒体を使用することで可能となることが見出された。この工程は、消費者の「ドライクリーニング専用」布地物品だけでなく、水洗浄媒体によって家庭で従来洗浄されている「機械洗浄」物品の家庭クリーニングを可能とする。さらに、消費者がこのような物品を分離して洗浄することを選択する一方、本発明の工程は消費者に、「ドライクリーニング専用」及び「機械洗浄」物品を組み合わせて洗浄することで、家庭内洗濯工程の著しい単純化の自由を可能とし、それによって仕分けの努力を削減する。
【０００７】
このような洗浄工程のおける劇的な変化は、水ベースの古い洗濯システムを実施する世代を超えて確立された消費者の期待が、クリーニング性能不足のためではなく、単純に工程が非常に異なって見えるという事実のために、満たされないという危険をもたらす。
【０００８】
一般的な消費者は、衣類の香りが「清潔」であることを期待するようになり、それは洗浄工程中衣類に供給される任意の数の香料組成物を有することを意味する。しかしながら、新しい洗浄工程に有用な親油性流体システム、特に親油性流体が洗浄工程中に再生利用され、回復過程に続いて再使用される閉鎖システムへの香料の供給は、新しい世界の問題及びこのような工程への配慮を引き起こす。
【０００９】
親油性流体ベースの洗浄媒体に関連する、その他の危険性は親油性流体に関連する匂いである。親油性流体は、通常著しい濃度の悪臭汚染物質を含有する。
【００１０】
香料組成物が布地ケア組成物を遮蔽及び／若しくは消臭し、並びに／又は香料組成物が親油性流体ベースの洗浄工程中に布地に供給され得るような香料組成物を含んでなる布地ケア組成物及びシステムの必要性、処理を必要とする布地処理のために、そのような組成物及び／又はシステムを採用する方法の必要性、がある。
【００１１】
（発明の概要）
本発明は、親油性流体布地処理システムにおいて使用する香料組成物を含んでなる組成物及び／又はシステムを提供することで、上述を明らかにする必要性を満たす。
【００１２】
本発明の一つの態様においては、布地ケア組成物であって、
ａ）親油性流体と、
ｂ）香料組成物、好ましくは永続性香料成分、匂い検出閾値の低い香料成分、及びこれらの混合物から成る群より選択される持続性香料成分と
を含んでなる組成物が提供される。
【００１３】
本発明のその他の態様においては、布地ケア組成物であって、
ａ）親油性流体と、
ｂ）香料組成物、好ましくは永続性香料成分、匂い検出閾値の低い香料成分、及びこれらの混合物から成る群より選択される持続性香料成分と、
ｃ）乳化剤と、
ｄ）水と
を含んでなる組成物が提供される。
【００１４】
その他の好ましい実施形態において、布地ケア組成物は香料組成物を含んでなり、好ましくは永続性香料成分、匂い検出閾値の低い香料成分、及びこれらの混合物から成る群より選択される持続性香料成分を含んでなり、キャリア溶剤として親油性流体を使用する液体形状で布地物品に噴射される。
【００１５】
その他の好ましい実施形態において、布地ケア組成物は香料組成物を含んでなり、好ましくは永続性香料成分、匂い検出閾値の低い香料成分、及びこれらの混合物から成る群より選択される持続性香料成分を含んでなり、蒸気相を経由して、好ましくはノズル噴霧器によって布地物品に噴射又は霧吹きされることによって布地物品に適用される。
【００１６】
さらにその他の好ましい実施形態において、布地組成物は香料組成物を含んでなり、好ましくは永続性香料成分、匂い検出閾値の低い香料成分、及びこれらの混合物から成る群より選択される持続性香料成分を含んでなり、ここで、組成物が、衝突ガス、好ましくは熱ガス、好ましくは布地物品を乾燥するのに使用する空気のような空気の気流中に載置される際に、香料組成物が布地物品に適用されるように、組成物はゲルマトリクス形態又は含浸シート形態である。換言すれば、例えば、布地物品の乾燥サイクル中のガスを通して、香料組成物を布地物品に付着する。
【００１７】
本発明のさらにその他の態様において、布地と本発明による布地ケア組成物との接触を含んでなる処理を必要とする布地の処理方法が提供される。
【００１８】
本発明のさらにその他の態様において、香料組成物が布地に供給されるように、布地と本発明による布地ケア組成物との接触を含んでなる該布地への香料組成物の供給方法。
【００１９】
本発明のさらに他の態様では、本発明による方法によって処理される布地が提供される。
【００２０】
本発明のさらに他の態様では、本発明による方法によって製造される香料布地が提供される。
【００２１】
本発明のさらにその他の態様においては、香料供給システムであって、
ａ）親油性流体と、
ｂ）香料組成物、好ましくは永続性香料成分、匂い検出閾値の低い香料成分、及びこれらの混合物から成る群より選択される持続性香料成分と
を含んでなり、該香料組成物が、前記布地に接触する時に布地上に供給されるシステムが提供される。
【００２２】
本発明のさらにその他の態様において、布地と布地ケア組成物との接触段階を含む処理を必要とする布地の処理のための、布地ケア組成物を用いる説明と組み合わせて梱包される本発明による布地ケア組成物を含んでなる製造物品が提供される。
【００２３】
香料組成物と任意選択的に親油性流体による布地物品との接触は、処理される布地物品を含んでなる一つの装置内で好ましくは発生する。
【００２４】
したがって、本発明は香料を含んでなる組成物及び／又はシステム、組成物を使用する方法、及び組成物を含んでなる製造物品を提供する。
【００２５】
（発明の詳細な説明）
本明細書で使用する用語「布地」は、従来型洗濯工程又はドライクリーニング工程で習慣的にクリーニングされる、いかなる物品をも意味することを意図する。そのような用語として、衣服、亜麻布、服地、及び衣服付属品を包含する。その用語は、大型買物袋、家具カバー、防水布など、全体的に又は部分的に布で作られた品目をも包含する。
【００２６】
好ましくは、前記布地は天然繊維、合成繊維、及びこれらの混合物から成る群より選択される繊維から成る。より好ましくは、前記布地は：セルロース繊維、蛋白質繊維、合成繊維、長野菜繊維、及びこれらの混合物から成る群より選択される繊維から成る。
【００２７】
好ましいセルロース繊維は、綿、レーヨン、亜麻布、テンセル（Tencel）（登録商標）、ポリ／綿及びこれらの混合物から成る群より選択される。
【００２８】
テンセル（Tencel）（登録商標）は、米国の専用の樹木農場において成長した木からの木材パルプから成り、この木は継続的に植え替えられている。繊維は、９９％回復可能及び再生利用可能な非毒性溶媒を使用する特定の「溶媒スピニング」工程を通して製造される。非毒性化学製品はこの工程中で製造されるため、大気に有害な煙が放出されない。テンセル（Tencel）（登録商標）は、高級繊維の全特性；天然、綿の有効な心地よさ、レーヨンの流体ドレープ及び着色の豊富さ、合成繊維の強度、並びに絹の豊かな手触り及び輝き、を有する。テンセル（Tencel）（登録商標）の布地は、例外的に、強度、豊かな手触り、及び流体ドレープを有し、自然な吸収性及び心地よさがあり、淡いパステル調から豊かな宝石調までの染料を容易に受け入れる。それらは、しわ及び縮みにも耐え、しばしば洗浄可能である。テンセル（Tencel）（登録商標）は、他の繊維と組み合わせることができる。テンセル（Tencel）（登録商標）はそれらの最良の特性を向上させる。例えば、亜麻布、レーヨン、ライクラ、微小デニールポリエステル、及び綿との組み合わせが可能である。テンセル（Tencel）（登録商標）の高力によって、さらに細かい番手の製品が可能となる。テンセル（Tencel）（登録商標）は、コウタウルドファイバー社（Courtaulds Fibers, Inc）から市販されている。
【００２９】
好ましくは、タンパク質繊維は、絹、毛及び哺乳類関連の繊維、並びにこれらの混合物から成る群より選択される。好ましくは、合成繊維は、ポリエステル、アクリル、ナイロン、及びこれらの混合物から成る群より選択される。好ましくは、長野菜繊維は、黄麻、亜麻、ラミー、ココヤシの殻、カポック、サイザル、りゅうぜつらん、アバカ、大麻、サン、及びこれらの混合物から成る群より選択される。ヤーン−より細かく、より柔軟でしわの少ない布地を供給する。
【００３０】
本明細書において使用される用語「親油性流体」は、下記の検査により限定されるような、皮脂を除去することができる任意の非水性流体を意味する。
【００３１】
さらに、界面活性剤、漂白剤などのような任意の添加成分は、布地に適用する前に（直接、親油性流体及び／又は水の中に）加えてもよいし、布地に適用中にある時点で加えてもよい。これらの任意の補助剤成分は、以下により詳細に記載する。
【００３２】
本明細書で用いられる場合「洗浄媒体」という言葉は、家庭自動洗濯工程の間に洗濯物の中の布地物品を濡らすために用いられる液体（流体（類）及び／又は溶液（類）及び／又は溶媒（類）及び／又はエマルション（類）が挙げられるが、これらに限られない）を意味する。
【００３３】
本明細書で用いられる場合「シロキサン」という用語は、水中又は低級アルコール中で非極性及び不溶性であるシリコーン流体を意味する。それらはハロゲン化溶媒を含む典型的な脂肪族及び芳香族溶媒に完全に混和できるが、ナフタレンのような中間石油留分には部分的にのみ混和する。直鎖シロキサン（例えば、米国特許第５，４４３，７４７号及び第５，９７７，０４０号を参照、両方のすべてを参考として本明細書に組み入れる）及び環状シロキサンが本明細書に有用であり、環状シロキサンは、オクタメチルシクロテトラシロキサン（テトラマー）、ドデカメチルシクロヘキサシロキサン（ヘキサマー）、及び好ましくはデカメチルシクロペンタシロキサン（ペンタマー、一般に「Ｄ５」の名称で呼ばれる）から成る群より選択される環状シロキサンを含む。最も好ましいのは、シロキサンが約５０％を超える環状シロキサンペンタマーを含んでなり、より好ましくは約７５％を超えるペンタマーを含み、最も好ましくは少なくとも約９０％のペンタマーを含む、洗浄媒体である。また好ましいのはシロキサンを含んでなる洗浄媒体であり、このシロキサンは、少なくとも約９０％（好ましくは少なくとも約９５％）のペンタマー、及び約１０％未満（好ましくは約５％未満）のテトラマー及び／又はヘキサマーを有する環状シロキサンの混合物である。
【００３４】
用語「システム」は本明細書で使用する時、常にではないが大抵、共通の計画のためになる又は共通の目的に役立つ多様な部分（すなわち、物質、組成物、装置、器具、手順、方法、条件など）から形成される複合構成を意味する。
【００３５】
本明細書で使用する句「布地物品の乾燥重量」は、意図的に添加した流体の重量をもたない布地物品の重量を意味する。
【００３６】
本明細書で使用される語句「布地物品の吸収能力」は、布地物品の孔及び隙間における布地物品によって取り込まれ、保持され得る流体の最大量を意味する。布地物品の吸収能力は、以下の布地物品の吸収能力測定のための試験規約に従って測定される。
【００３７】
布地物品の吸収能力測定のための試験規約
工程１：親油性流体が加えられる貯蔵器又は他の容器をすすぎ、乾燥する。貯蔵器を、全ての外来物質、特に石鹸、洗剤、及び湿潤剤のない状態にするために洗浄する。
【００３８】
工程２：「乾燥」布地物品の重量を得るために、試験される「乾燥」布地物品を計量する。
【００３９】
工程３：２０℃までの親油性流体２Ｌを貯蔵器に流し込む。
【００４０】
工程４：工程２の布地物品を親油性流体含有貯蔵器中に入れる。
【００４１】
工程５：布地内にエアポケットが残らないのを確実にするために布地物品を攪拌し、親油性流体で完全に濡らす。
【００４２】
工程６：親油性流体含有貯蔵器から布地物品を取り出す。
【００４３】
工程７：必要であれば、布地物品の同表面又は反対表面間での接触がないように布地物品を広げる。
【００４４】
工程８：工程７からの布地物品を、滴下回数が１滴／秒を超えないようにしたたらせる。
【００４５】
工程９：「湿潤」布地物品の重量を得るために、工程８の「湿潤」布地物品を計量する。
【００４６】
工程１０：下記の等式を使用して布地物品の親油性流体吸収量を計算する。
【００４７】
ＦＡ＝（Ｗ−Ｄ）／Ｄ＊１００
式中：
ＦＡ＝流体吸収、％（つまり布地物品乾燥重量％による布地物品の吸収能力）
Ｗ＝湿潤試料重量、ｇ
Ｄ＝初期試料重量、ｇ
用語「非浸漬」とは、本質的に全流体が布地物品に密接に接触することを意味する。多くても極少量の「遊離」洗浄溶液が存在する。洗浄流体は槽中に布地物品が従来の垂直軸洗濯機中に浸水される、又は従来の水平洗濯機に投入される槽である「浸漬」手順とは異なる。用語「非浸漬」は、以下の非浸漬手順のための試験規約に従ってより詳細に定義される。布地物品が流体に接触する手順は、以下の試験規約が満足とされる際には非浸漬の手順である。
【００４８】
非浸漬手順のための試験規約
工程１：上述の布製物品の吸収容量を測定する試験手順を使用して、布試料の吸収容量を決定する。
【００４９】
工程２：多量の流体が布地物品に接触するような流体接触手順で、流体に布地物品をさらす。
【００５０】
工程３：工程１の乾燥布地試料を工程２の布地物品に近接するように載置し、布地物品から布地試料への流体の移送が生じるように、布地物品と布地試料を移動／攪拌／転回する（布地物品及び布地試料は同飽和濃度でなければならない）。
【００５１】
工程４：工程３の布地試料を計量する。
【００５２】
工程５：以下の等式を使用して布地試料に吸収された流体を計算する。
【００５３】
ＦＡ＝（Ｗ−Ｄ）／Ｄ＊１００
式中：
ＦＡ＝流体吸収、％
Ｗ＝湿潤試料重量、ｇ
Ｄ＝初期試料重量、ｇ
工程６：布地試料に吸収された流体と、布地試料の吸収能力を比較する。布地試料に吸収された流体が、布地試料の吸収能力の０．８倍以下である場合、手順は非浸漬である。
【００５４】
布地ケア組成物
本発明の布地ケア組成物及び／又はシステムは、香料組成物を含んでなり、好ましくは永続性香料成分、匂い検出閾値の低い香料成分、及びこれらの混合物から成る群より選択される持続性香料成分を含んでなる。
【００５５】
本発明の香料組成物は、典型的には親水性成分を避ける典型的な洗濯香料ではない香料組成物を含んでなる。
【００５６】
本発明の布地ケア組成物及び／又はシステムは、親油性流体が組成物の構成成分である際に、親油性流体好ましくは少なくとも約５０重量％、より好ましくは約５０重量％〜約１００重量％の組成物を含んでなる。
【００５７】
本発明の香料含有布地ケア組成物の香料構成成分及び／又はシステムは、好ましくは約０．１重量％〜約２５重量％、より好ましくは約０．２重量％〜約１０重量％、さらにより好ましくは約０．３重量％〜約５重量％、最も好ましくは約０．４重量％〜約２重量％の布地ケア組成物を含んでなる。
【００５８】
本発明による香料組成物は、持続性香料成分、好ましくは少なくとも約２５重量％、より好ましくは少なくとも約４０重量％、さらにより好ましくは少なくとも約６０重量％、最も好ましくは少なくとも約７５重量％の香料組成物を含んでなる。
【００５９】
本発明の布地ケア組成物及び／又はシステムは、好ましくは水を含み、より好ましくは水と乳化剤を含んでなる。
【００６０】
水が前記布地ケア組成物中に存在する際、水は好ましくは組成物約５０重量％未満、より好ましくは約０．１重量％〜約５０重量％の濃度で存在する。
【００６１】
布地ケア組成物は、好ましくは液体形態であって、好ましくは処理される布地上に布地ケア組成物を噴射することで、布地に適用される。
【００６２】
親油性流体
本明細書の親油性流体は、操作条件下で存在する液相を有するものである。一般的に、このような流体は周囲温度及び圧力において全て液体であり得、例えば、約０℃〜約６０℃の範囲内の温度で液体になるもののように容易に融解固体になり得、又は、例えば、２５℃及び１気圧の周囲温度及び圧力において液体及び蒸気相の混合物を含んでなることができる。したがって、本質的な親油性流体は、二酸化炭素のような圧縮性ガスではない。本発明の親油性流体は、可燃性であるか、又は既知の従来型ドライクリーニング流体の特性に等しいか、好ましくはこれを超える比較的高い引火点及び／又は低いＶＯＣ特性を有するのが好ましく、ここでこれらの用語はドライクリーニング産業で使用される従来の意味を有する。
【００６３】
本明細書の好適な親油性流体は、容易に流れ、非粘稠である。一般に、本明細書の親油性流体は、下記の試験の中で定義するように、皮脂又は生地汚れを少なくとも部分的には溶解できる流体であることが必要である。親油性流体の混合物もまた好適であり、試験の要件が満たされることを条件として、親油性流体はドライクリーニング溶媒のいかなる一部も、特に非フッ素化溶媒、又は全フッ素化アミンを含む、より新しい型を含むことができる。パーフルオロトリブチルアミンのような、幾つかの全フッ素化アミンは、親油性流体として用いるのには好適でないが、親油性流体の中に存在する多くの可能な添加物の中の一つとして存在してもよい。他の好適な親油性流体として、ジオール溶媒システム類、例えば、Ｃ６−、又はＣ８−、又はより高いジオール類などの高いジオール類、環式及び非環式両方を含むオルガノシリコーン溶媒類など、並びにこれらの混合物が挙げられる。
【００６４】
親油性流体の主成分として組み込むのに好適な、非水性液体の好ましい群には、低揮発性低フッ素化有機物、シリコーンであって特にアミノ官能シリコーン以外のもの、及びこれらの混合物が挙げられる。低揮発性非フッ素化有機物には、例えば、ＯＬＥＡＮ及び他のポリオールエステル類、又は、ある種の比較的非揮発性の生分解性の中鎖分枝石油留分が挙げられる。親油性流体の主成分として、例えば、５０％を超過して用いられる好適なシリコーンには、時には「Ｄ５」と称されるシクロペンタシロキサン、又はほぼ同様の揮発性を有し、他の適合性のあるシリコーンにより任意に補完される直鎖類似体が挙げられる。好適なシリコーン類は、文献で周知であり、例えば、カークオスマー（Kirk Othmer）工業化学百科事典（Encyclopedia of Chemical Technology）を参照されたい。またゼネラル・エレクトリック（General Electric）、東芝シリコーン（株）、バイエル（Bayer）、及びダウ・コーニング（Dow Corning）を含む多数の供給源から入手可能である。他の好適な流体が、プロクターアンドギャンブル（Procter & Gamble）、又はダウ・ケミカル（Dow Chemical）、及び他の供給元から購入可能である。例えば、好適なシリコーンの一つに、ＧＥシリコーンフルーイヅ（GE silicone fluids）から入手可能なＳＦ−１５２８がある。ＳＦ−１５２８流体が、シクロペンタシロキサン（Ｄ５）９０％であることは特記の価値がある。
【００６５】
親油性流体は処置の性質によって、機械により、蒸発により、又はそれらのいかなる組み合わせにより除去されてもよい。例えば、処置の目的が清浄することであれば、布地物品から少なくとも５０％の繊維製品処置液を機械的に、例えば、回転により除去することが望ましい。それに対して、処置の目的が布地物品の中にコンディショニング剤を付着させることである場合は、この液は好ましくは蒸発により除去される。
【００６６】
親油性流体の適格性−親油性流体試験（ＬＦ試験）
ドライクリーニング流体に対する既知の要求（例えば、引火点）を満たすことができ、かつ少なくとも部分的に下記の試験法に示すように皮脂を溶解することができるいかなる非水性流体でも、本発明の親油性流体として好適である。皮脂を取り除くための特定の物質の能力は、任意の既知の技術で測定できる。一般的な指針として、Ｄ５は皮脂を溶解するが、パーフルオロブチルアミン（フルオリナート（Fluorinert）ＦＣ−４３（登録商標））はそれ自体では（添加物と共に又は添加物なしで）、定義によって本明細書の親油性流体（それは本質的に非溶媒である）としては好適ではない参照物質である。
【００６７】
以下は親油性流体として使用する他の物質、例えば、他の低粘度、自由流動性シリコーンの調査及び適格性認定方法である。この方法は皮脂の汚れのモデルとして、市販のクリスコ（Crisco）（登録商標）キャノーラ油、オレイン酸（純度９５％、シグマ・アルドリッチ社（Sigma Aldrich Co.）より入手可能）、及びスクアラン（純度９９％、Ｊ．Ｔ．ベーカー（J.T. Baker）より入手可能）を用いる。試験材料は、実質的に無水であり、いかなる添加された添加物又は評価中の他の材料も無しでなければならない。
【００６８】
三つのバイアル瓶を準備する。第一のバイアル瓶にキャノーラ油１．０ｇを入れ、第二のバイアル瓶にオレイン酸（９５％）１．０ｇを入れ、最後の第三のバイアル瓶にスクアラン（９９．９％）１．０ｇを入れる。各バイアル瓶に、親油性を試験する流体を１ｇ入れる。室温で個別に混合し、標準的な攪拌混合機において、最大設定で２０秒間、試験される親油性汚れ及び流体を含有する各バイアル瓶を加圧する。バイアル瓶を作業台に置き、室温、室内圧力で１５分間沈殿させる。静止した時に、親油性汚れを含むどれかのバイアル瓶に単一の相が形成された場合は、その流体は、本発明による「親油性流体」として使用するに好適であると格付けされる。しかしながら、全三つのバイアル瓶中で二つ以上の分離相が形成される場合は、油相中に溶解される流体量は、さらに特定化されるものとして拒絶又は容認の前に決定する必要がある。
【００６９】
このような場合には、注射器により、各バイアル瓶の各層から２００ｍｌのサンプルを注意深く抽出する。各三つのモデル汚れ及び試験される流体の補正試料の保持時間の決定後、注入器で抽出した層試料をＧＣオートサンプラーバイアルに載置し、従来のＧＣ分析にかける。オレイン酸層、キャノーラ油層、又はスクアラン層からなる層のいずれか一つに、試験流体が１％を超えて、好ましくはより多く、ＧＣにより存在することが見つかった場合には、その試験流体も親油性流体として使用する格付けがなされる。必要であれば、方法はさらにヘプタコサフルオロトリブチルアミン、つまりフルオリナートＦＣ−４３（失敗）及びシクロペンタシロキサン（通過）を使用して補正することができる。
【００７０】
好適なＧＣは、スプリット／スプリットレス注入器及びＦＩＤを装備したヒューレット・パーッカード（Hewlett Packard）のガスクロマトグラフＨＰ５８９０シリーズである。親油性流体存在量を決定するのに使用する好適なカラムは、Ｊ＆Ｗサイエンティフィック社（J&W Scientific）の、３０メートル、内径０．２５ｍｍ、０．１μｍのフィルム厚、カタログ番号１２２１１３１の毛管カラムＤＢ−１ＨＴである。ＧＣは以下の条件下で操作されるのが好適である、
キャリアガス：水素
カラムヘッド圧：９ｐｓｉ
流速：カラム流速＠〜１．５ｍｌ／ｍｉｎ
スプリット速度＠〜２５０〜５００ｍｌ／ｍｉｎ
セプタムパージ＠１ｍｌ／ｍｉｎ
注入：ＨＰ７６７３オートサンプラー、１０μｌ注射器、１μｌ注入
注入器の温度：３５０℃
検出器温度：３８０℃
オーブンの温度プログラム：最初６０℃、１分間保持
速度２５℃／分
最終３８０℃、３０分保持
本発明で使用するのに好適な好ましい親油性流体は、優れた衣類を保護する特徴を有することに基づいて、使用のために更に格付けすることができる。衣類保護特性試験は当該技術分野において周知であり、継ぎ目等及びボタンの範囲で使用される布地、糸、及びゴムひもを含む幅広い範囲の衣類又は布地物品構成成分を使用して特定化される試験を伴う。本発明で使用するための好ましい親油性流体は、優れた衣類保護特性を有し、例えば、良好な縮みまたは布皺付け特性を有して、プラスチックボタンに知覚可能な損傷を与えない。
【００７１】
衣類保護試験、又は例えば、可燃性といった他の適格性のため、親油性流体中で用いられるある親油性流体は混合物、例えば、水との混合物として存在することができ、その比は布地物品と接触することになる最終親油性流体中で用いられるおよその比である。皮脂を除去する特定の物質は、親油性流体として用いるのに制限があり、例えば、乳酸エチルはボタンを溶解する傾向のため全く好ましくない可能性があり、こうした物質は親油性流体の中で用いられる場合は、水及び／又は他の溶媒と共に配合されて、全体の混合が実質的にボタンを傷めないようにされる。他の親油性流体、例えば、Ｄ５は、衣類保護の要件を立派に満たす。幾つかの好適な親油性流体は、付与された米国特許第５，８６５，８５２号、第５，９４２，００７号、第６，０４２，６１７号、第６，０４２，６１８号、第６，０５６，７８９号、第６，０５９，８４５号、及び第６，０６３，１３５号の中に見出されるであろうが、これらは本明細書に参考として組み入れられる。
【００７２】
親油性溶媒には、線状及び環状ポリシロキサン、炭化水素及び塩素化炭化水素を含む。より好ましいのは線状及び環状ポリシロキサン、及びグリコールエーテル、アセテートエステル、ラクテートエステル類の炭化水素である。好ましい親油性溶媒には、７６０ｍｍＨｇにおいて約２５０℃を下回る融点を有する環状シロキサンを含む。本発明で使用する特に好ましい環状シロキサンは、オクタメチルシクロテトラシロキサン、デカメチルシクロペンタシロキサン、及びドデカメチルシクロヘキサシロキサンである。好ましくは、環状シロキサンはデカメチルシクロペンタシロキサン（Ｄ５、ペンタマー）を含んでなり、実質的にオクタメチルシクロテトラシロキサン（テトラマー）及びドデカメチルシクロヘキサシロキサン（ヘキサマー）を含まない。
【００７３】
しかし、当然のことながら、有用な環状シロキサン混合物は、好ましい環状シロキサンに加えて、オクタメチルシクロテトラシロキサン及びヘキサメチルシクロトリシロキサン又はテトラデカメチルシクロヘプタシロキサンのようなより高い環式を包含する微量の他の環状シロキサンを含有してもよい事を理解すべきである。一般的に、環状シロキサン混合物に有用なこれらの他の環状シロキサン量は、混合物の全重量に対して約１０重量％未満である。環状シロキサン混合物の工業規格では、このような混合物は混合物１重量％未満のオクタメチルシクロテトラシロキサンを含んでなる。
【００７４】
したがって、本発明の親油性流体は、好ましくは約５０重量％以上、より好ましくは約７５重量％以上、さらにより好ましくは少なくとも約９０重量％、最も好ましくは少なくとも約９５重量％のデカメチルシクロペンタシロキサンの親油性流体を含んでなる。あるいは、親油性流体は、約５０重量％以上、好ましくは約７５重量％以上、さらに好ましくは少なくとも約９０重量％、最も好ましくは少なくとも約９５重量％〜約１００重量％のデカメチルシクロペンタシロキサンの混合物、及び約１０重量％未満、好ましくは約５重量％未満、より好ましくは約２重量％未満、さらにより好ましくは約１重量％未満、最も好ましくは約０．５重量％未満のオクタメチルシクロテトラシロキサンの混合物及び／又はドデカメチルシクロヘキサシロキサンを有する環状シロキサンの混合物であるシロキサンを含んでなってもよい。
【００７５】
香料
本発明の布地ケア組成物は、洗浄した布地に清潔及び／又は新鮮な印象を提供する「香りのシグナル」を、心地よい匂いの形態で提供する香料を含んでなることができる。任意の種類の香料も本発明の組成物に使用することができる。このような香料薬剤非限定的な例には、芳香族及び脂肪族エステル類、脂肪族及び芳香族アルコール類、脂肪族ケトン類、芳香族ケトン類、脂肪族ラクトン類、脂肪族アルデヒド類、芳香族アルデヒド類、アルデヒド類及びアミン類の縮合生成物、飽和型アルコール類、飽和型二トリル類、飽和型芳香族ケトン類、飽和型ラクトン類、飽和型エステル類、飽和型エーテル類、飽和型アセタール類、飽和型フェノール類、飽和型炭化水素類、芳香族ニトロマスク類、及びこれらの混合物が挙げられ、より十分には、米国特許第５，９３９，０６０号及びカナダ特許第１，３２５，６０１号に記載されている。他の香料薬剤は、米国特許第５，７４４，４３５号及び米国特許第５，７２１，２０２号に記載され、前記特許のすべては参考文献として組み込まれる。
【００７６】
本発明が溶媒を基にした組成物及び／又は実質的に非水性洗濯クリーニング方法及び／又は装置に関連することは評価される。これらの非水媒体における香料の性質は、水を用いる従来の洗浄条件における香料の性質とは異なる。米国特許第５，７８０，４０４号に教示されているように、水を用いる従来の洗濯クリーニングにおいては、香料成分が布地実体ではなく、すすぎ水で落とされるので、高い水親和性を有する香料成分は好ましくはない。該特許は参考文献として組み込まれる。組成物中の溶媒は、全香料成分を保持し、布地上において香料が沈着することを防ぐ。したがって、布地上に残油する香料臭気利益を効果的に提供できる香料成分を選択することは必須である。少なくとも約２５重量％、好ましくは少なくとも約４０重量％、より好ましくは少なくとも約６０重量％、及びさらにより好ましくは少なくとも約７５重量％の香料は、乾燥後の布地上にかなり残存する「永続性」香料成分、匂い検出閾値の低い香料成分、及びこれらの混合物から成る群より選択される「持続性」香料成分で構成される。
【００７７】
ａ．永続性香料成分
永続性の香料成分は、その沸点（Ｂ．Ｐ．）で特徴付けられる。本発明の永続性香料成分は、通常、標準圧力である７６０ｍｍＨｇにおいて、約２４０℃以上、好ましくは約２５０℃以上の沸点を有する。
【００７８】
多くの香料成分の沸点は、例えば、「香料と風味の化学（Perfume and Flavor Chemicals）」（アロマ・ケミカルズ（Aroma Chemicals））、（ステファン・アークタンダー（Steffen Arctander）、著者により出版、１９６９年）に見られ、ここでは参考として取り入れられている。その他の沸点は、例えば、バイルスタイン（Beilstein）のハンドブック、ランゲ（Lange's）の化学ハンドブック、及び化学と物理学のＣＲＣハンドブックのような様々な化学ハンドブック及びデータベースから入手することができる。別の圧力で、通常大気圧７６０ｍｍＨｇよりも低い圧力でしか沸点が得られない場合、大気圧での沸点は、「化学者の友」（Ａ．Ｉ．ゴードン（Gordon）及びＲ．Ａ．フォード（Ford）著、ジョン・ウイリー＆サン・パブリッシャー（John Wiley & Sons Publishers）、１９７２年）の３０〜３６ページに与えられている沸点−圧力の計算図表を用いて、おおまかに概算することができる。沸点値は、「定量的構造の開発小型多機能有機分子の通常の沸点を概算するための特性関係モデル」（デビッド  Ｔ．スタントン（David T. Stanton）、ジャーナルオブケミカルインフォーメーションアンドコンピュータサイエンス（Journal of Chemical Information and Computer Sciences）２０００年、第４０巻１号、８１〜９０ページ）に記載されているようなコンピュータプログラムを介して概算することもでき、参考文献として本明細書に組み込まれる。したがって、永続性香料成分に構成される香料組成物が約２５０℃以上の沸点を有する際、それらは乾燥段階後の布地上に実質的に残存する。
【００７９】
本発明の好ましい永続性香料の非限定的な例には、アリルシクロヘキサンプロピオネート、アンブレットリド、アミルベンゾエート、アミルシンナメート、アミルシンナミックアルデヒド、アミルシンナミックアルデヒドジメチルアセタール、イソ−アミルサリチラート、オウランチオール（aurantiol）（ヒドロキシシトロネラール−メチルアンスラニレートの商標）、ベンゾフェノン、ベンジルサリチラート、イソ−ブチルキノリン、ベータ−カリオフィレン、カジネン、セドロール、セドリルアセテート、セドリルホルメート、シンナミルシンナメート、シクロヘキシルサリチラート、シクラメンアルデヒド、ジヒドロイソジャスモネート、ジフェニルメタン、ジフェニルオキシド、ドデカラクトン、イソＥスーパー（iso E super）（１−（１，２，３，４，５，６，７，８−オクタヒドロ−２，３，８，８−テトラメチル−２−ナフタレニル）−エタノンの商標）、エチレンブラシレート、エチルメチルフェニルグリシデート、エチルウンデシレネート、イソ−オイゲノール、エクサトリド（exaltolide）（１５−ヒドロキシペンタデカン酸、ラクトンの商標）、ガラキソリド（galaxolide）（１，３，４，６，７，８−ヘキサヒドロ−４，６，６，７，８，８−ヘキサメチルシクロペンタ−ガンマ−２−ベンゾピランの商標）、ゲラニルアンスラニレート、ヘキサデカノリド、ヘキシニルサリチラート、ヘキシルシンナミックアルデヒド、ヘキシルサリチラート、リリアル（lilial）（パラ−第三級−ブチル−アルファ−メチルヒドロシンナミックアルデヒドの商標）、リナリルベンゾエート、２−メトキシナフタレン、メチルシンナメート、メチルジヒドロジャスモネート、ベータ−メチルナフチルケトン、ムスクインダノン、ムスクケトン、ムスクチベチン、ミリスヂン、デルタ−ノナラクトン、オキサヘキサデカノリド−１０、オキサヘキサデカノリド−１１、パチョリアルコール、ファントリド（phantolide）（５−アセチル−１，１，２，３，３，６−ヘキサメチリンダンの商標）、フェニルエチルベンゾエート、フェニルエチルフェニルアセテート、フェニルヘプタノール、フェニルヘキサノール、アルファ−サンタロール、チベトリド（thibetolide）（１５−ヒドロキシペンタデカン酸、ラクトンの商標）トナリド、デルタ−ウンデカラクトン、ガンマ−ウンデカラクトン、ベチベリルアセテート、ヤラ−ヤラ、アリルフェノキシアセテート、シンナミックアルコール、シンナミックアルデヒド、シンナミックホルメート、クマリン、ジメチルベンジルカルビニルアセテート、エチルシンナメート、エチルバニリン（３−メトキシ−４−エトキシベンザルデヒド）、オイゲノール、オイゲニルアセテート、ヘリオトロピン、インドール、イソオイゲノール、コアボン（koavone）、メチル−ベータ−ナフチルケトン、メチルシンナメート、メチルジヒドロジャモナート、ベータメチルナフチルケトン、メチル−ｎ−メチルアンスラニレート、デルタ−ノナラクトン、ガンマ−ノナラクトン、パラメトキシアセトフェノン（アセトアニソール）、フェノキシエチルイソブチレート、フェノキシエチルプロピオネート、ピペロナール、トリエチルシトレート、バニリン、及びこれらの混合物が挙げられる。
【００８０】
本発明において有用な他の永続性香料成分には、メチル−Ｎ−メチルアンスラニレート、ベンジルブチレート、ベンジルイソバレレート、シトロネリルイソブチレート、シトロネリルプロピオネート、デルタ−ノナラクトン、ジメチルベンジルカルビニルアセテート、ドデカナール、ゲラニルアセテート、ゲラニルイソブチレート、ガンマ−イオノン、パラ−イソプロピルフェニルアセトアルデヒド、シス−ジャスモン、メチルオイゲノール、ヒドロキシシトロネラール、フェノキシエタノール、ベンジルイソバレレート、アニスアルデヒド、クミンアルコール、シス−ジャスモン、メチルオイゲノール、及びこれらの混合物が挙げられる。
【００８１】
本発明で使用される好ましい香料組成物は、少なくとも四つの異なった永続性の香料成分、好ましくは少なくとも五つの異なった永続性の香料成分、さらに好ましくは少なくとも六つの異なった永続性の香料成分、さらに一層好ましくは少なくとも七つの異なった永続性の香料成分を含有する。天然資源から得られる、最も一般的な香料成分は、多数の成分から成る。こうした各物質が本発明の好ましい香料組成物の配合に用いられる場合、本発明の定義上は一つの単一成分として数えられる。
【００８２】
香料技術では、匂いのない又はきわめてかすかな匂いを有する一部の物質が希釈剤又は展延剤として用いられる。これらの物質の非限定例は、ジプロピレングリコール、フタル酸ジエチル、トリエチルシトレート、ミリスチン酸イソプロピル、及びベンジルベンゾエートである。これらの物質は、例えば、その他の香料成分を希釈する及び安定化するために用いられる。これらの物質は、本発明の持続性香料組成物の処方には含まれない。
【００８３】
ｂ．匂い検出閾値の低い香料成分
本発明の香料組成物は、一つ以上の匂い検出閾値の低い香料成分を含むことができる。匂いのある物質の匂い検出閾値とは、嗅覚で感知できるその物質の最低蒸気濃度である。匂い検出閾値及びいくつかの匂い検出閾値の値は、例えば、「ヒト嗅覚閾値の標準化（Standardized Human Olfactory Thresholds）」、Ｍ．デーボス（M. Devos）ら、オックスフォード大学出版のＩＲＬプレス（IRL Press）、１９９０年、及び「”臭気及び味覚閾値データの編集（Compilation of Odorand Taste Threshold Values Data）」、Ｆ．Ａ．ファザラリ（Fazzalari）編、ＡＳＴＭデータシリーズＤＳ４８Ａ、米国材料試験協会（American Society for Testing and Materials）、１９７８年、で論議されており、前記出版物はすべて参考文献として組み込まれる。低い匂い検出閾値の値を有する少量の香料成分の使用によって、それらが上記で開示したような永続性の香料成分として実質的ではないにしても、香料の匂い特性を改善することができる。本発明の持続性香料組成物に有用な、重大な低い検出閾値を有する香料成分は、アリルアミルグリコレート、アンブロックス、アネトール、バクダノール、ベンジルアセトン、ベンジルサリチラート、ブチルアンスラニレート、カロン、セタロックス、シンナミックアルコール、クマリン、シクロガルバネート、シクラルＣ、サイマール、ダマセノン、アルファ−ダマスコーン、４−デセナール、ジヒドロイソジャスモネート、ガンマ−ドデカラクトン、エバノール、エチルアンスラニレート、エチル−２−メチルブチレート、エチルメチルフェニルグリシデート、エチルバニリン、オイゲノール、フロアセテート、フロヒドラル、フラクトン、フラテン、ヘリオトロピン、ヘルババート（herbavert）、シス−３−ヘキサニルサリチラート、インドール、アルファ−イオノン、ベータ−イオノン、イソ−シクロシトラール、イソオイゲノール、アルファ−イソメチルイオノン、ケトン、リリアール、リナロール、リラ−ル、メチルアンスラニレート、メチルジヒドロジャスモネート、メチルヘプチンカルボネート、メチルイソブテニルテトラヒドロピラン、メチルベータナフチルケトン、メチルノニルケトン、ベータナフトールメチルエーテル、ネロール、パラ−アニスアルデヒド、パラヒドロキシフェニルブタノン、フェニルアセトアルデヒド、ガンマ−ウンデカラクトン、ウンデシレンアルデヒド、及びこれらの混合物から成る群より選択される。これらの物質は、好ましくは永続性の香料成分に加えて、本発明の香料組成物合計、通常約２０重量％未満、好ましくは約１５重量％未満、さらに好ましくは約１０量重量％未満の低い濃度にて存在する。しかしながら、香料の匂い効果を提供するのに、低濃度のみが必要とされる。永続性の香料成分の一部も低い匂いの検出閾値を有する。これらの物質は、本発明の持続性香料組成物における永続性香料成分とみなされる。
【００８４】
高濃度の溶媒の存在及び比較的低い香料の布地への供給のために、現行の発明の布地ケア組成物は洗剤組成物、典型的には約０．０１重量％〜約５重量％、好ましくは約０．１重量％〜約４重量％、より好ましくは約０．３重量％〜約３重量％、さらにより好ましくは０．４重量％〜約２重量％の比較的高濃度の香料を含むことができる。
【００８５】
本発明は、布地新鮮化利益を提供する「最終」処理を含む非水性クリーニング方法にも関連する。本方法に特に好適な本発明に従う布地ケア組成物は、好ましくは親油性流体及び香料組成物を含み、好ましくは永続性香料成分、匂い検出閾値の低い香料成分、及びこれらの混合物から成る群より選択される持続性香料成分からなる香料組成物を含む。布地ケア組成物における香料濃度は典型的には、香料組成物の組成物、約０．０００１重量％〜約０．２重量％、好ましくは約０．０００２重量％〜約０．１重量％、さらに好ましくは約０．００３重量％〜約０．０８重量％、最も好ましくは約０．００５重量％〜約０．０５重量％である。
【００８６】
継続性香料放出剤
芳香前駆体、香料前駆体、及びアコード前駆体
本発明の布地ケア組成物は、一つ以上の芳香前駆体、香料前駆体、アコード前駆体、及び以下で「芳香前駆体」として収集されるのが既知のこれらの混合物を含む香料供給システムも含んで良い。本発明の芳香前駆体は、選択される芳香前駆体によって変化する放出速度を示すことができる。さらに、本発明の芳香前駆体は、最初の芳香、匂い、調和、又は香りでユーザーに提示するために、それから放出される芳香原料と混合することができる。
【００８７】
本発明の芳香前駆体は、キャリアが、芳香原料の芳香前駆体からの時期尚早の放出を触媒しない、又はその他の方法で促進しないという条件で、いかなるキャリアとも好適に混合することができる。
【００８８】
以下は、本発明に基づいた芳香前駆体の非限定部類である。
【００８９】
エステル類及びポリエステル類−本発明のエステル類及びポリエステル芳香前駆体は、一つ以上の芳香原料のアルコール類を放出することができる。好ましいのは次式を有するエステル類である。
【００９０】
【化１】
0004828081.tif 000002
式中、Ｒは、置換又は非置換のＣ１〜Ｃ３０アルキレン、Ｃ２〜Ｃ３０アルケニレン、Ｃ６〜Ｃ３０アリーレン、及びこれらの混合物であり、−ＯＲ１は、式、ＨＯＲ１を有する芳香原料アルコールに由来するか、あるいは、指数ｘが１よりも大きい場合、Ｒ１は水素であり、それによって少なくとも一つの部分をエステル単位ではなく、カルボン酸、−ＣＯ２Ｈ単位にし、指数ｘは１以上である。好ましいポリエステル芳香前駆体の非限定例には、ジゲラニルスクシネート、ジシトロネリルスクシネート、ジゲラニルアジペート、ジシトロネリルアジペートなどが挙げられる。
【００９１】
ベータ−ケトエステル類−本発明のｂ−ケトエステル類は、一つ以上の芳香原料を放出することができる。本発明による好ましいｂ−ケトエステル類は次式を有する。
【００９２】
【化２】
0004828081.tif 000003
式中、−ＯＲは芳香原料アルコールから派生し、Ｒ１、Ｒ２、及びＲ３は、それぞれ独立して水素、Ｃ１〜Ｃ３０アルキル、Ｃ２〜Ｃ３０アルケニル、Ｃ１〜Ｃ３０シクロアルキル、Ｃ２〜Ｃ３０アルキニル、Ｃ６〜Ｃ３０アリール、Ｃ７〜Ｃ３０アルキレンアリール、Ｃ３〜Ｃ３０アルキレンオキシアルキル、及びこれらの混合物であり、その際、少なくとも一つのＲ１、Ｒ２、又はＲ３は次式を有する単位である。
【００９３】
【化３】
0004828081.tif 000004
式中、Ｒ４、Ｒ５、及びＲ６は、それぞれ独立して水素、Ｃ１〜Ｃ３０アルキル、Ｃ２〜Ｃ３０アルケニル、Ｃ１〜Ｃ３０シクロアルキル、Ｃ１〜Ｃ３０アルコキシ、Ｃ６〜Ｃ３０アリール、Ｃ７〜Ｃ３０アルキレンアリール、Ｃ３〜Ｃ３０アルキレンオキシアルキル、及びこれらの混合物であり、又はＲ４、Ｒ５、及びＲ６は、一緒になってＣ３〜Ｃ８芳香族又は非芳香族の複素環又は非複素環の環を形成することができる。
【００９４】
本発明によるｂ−ケトエステル類の非限定例には、２，６−ジメチル−７−オクテン−２−イル３−（４−メトキシフェニル）−３−オキソ−プロピオネート；３，７−ジメチル−１，６−オクタジエン−３−イル３−（ノナニル）−３−オキソ−プロピオネート；９−デセン−１−イル３−（ｂ−ナフチル）−３−オキソ−プロピオネート；（ａ、ａ−４−トリメチル−３−シクロヘキセニル）メチル３−（ｂ−ナフチル）−３−オキソ−プロピオネート；３，７−ジメチル−１，６−オクタジエン−３−イル３−（４−メトキシフェニル）−３−オキソ−プロピオネート；２，６−ジメチル−７−オクテン−２−イル３−（ｂ−ナフチル）−３−オキソ−プロピオネート；２，６−ジメチル−７−オクテン−２−イル３−（４−ニトロフェニル）−３−オキソ−プロピオネート；２，６−ジメチル−７−オクテン−２−イル３−（４−メトキシフェニル）−３−オキソ−プロピオネート；３，７−ジメチル−１，６−オクタジエン−３−イル３−（ａ−ナフチル）−３−オキソ−プロピオネート；シス３−ヘキセン−１−イル３−（ｂ−ナフチル）−３−オキソ−プロピオネート；２，６−ジメチル−７−オクテン−２−イル３−（ノナニル）−３−オキソ−プロピオネート；２，６−ジメチル−７−オクテン−２−イル３−オキソ−ブチレート；３，７−ジメチル−１，６−オクタジエン−３−イル３−オキソ−ブチレート；２，６−ジメチル−７−オクテン−２−イル３−（ｂ−ナフチル）−３−オキソ−２−メチルプロピオネート；３，７−ジメチル−１，６−オクタジエン−３−イル３−（ｂ−ナフチル）−３−オキソ−２，２−ジメチルプロピオネート；３，７−ジメチル−１，６−オクタジエン−３−イル３−（ｂ−ナフチル）−３−オキソ−２−メチルプロピオネート；３，７−ジメチル−２，６−オクタジエニル３−（ｂ−ナフチル）−３−オキソ−プロピオネート；３，７−ジメチル−２，６−オクタジエニル３−ヘプチル−３−オキソ−プロピオネートが挙げられる。
【００９５】
アセタール類及びケタール類−本発明に従うアコード前駆体として有用な組成物のその他の部類は、以下の式を有するアセタール類及びケタール類である。
【００９６】
【化４】
0004828081.tif 000005
その際、アセタール又はケタールの加水分解は、以下のスキームに従って１当量のアルデヒド又はケトン及び２当量のアルコールを放出する。
【００９７】
【化５】
0004828081.tif 000006
式中、Ｒは、Ｃ１〜Ｃ２０線状アルキル、Ｃ４〜Ｃ２０分枝状アルキル、Ｃ６〜Ｃ２０環状アルキル、Ｃ６〜Ｃ２０分枝状環状アルキル、Ｃ６〜Ｃ２０線状アルケニル、Ｃ６〜Ｃ２０分枝状アルケニル、Ｃ６〜Ｃ２０環状アルケニル、Ｃ６〜Ｃ２０分枝状環状アルケニル、Ｃ６〜Ｃ２０置換又は非置換のアリール、好ましくはアリール単位を置換する部分がアルキル部分、及びこれらの混合物である。Ｒ１は水素、Ｒであり、又はアコード前駆体がケタールである場合は、Ｒ及びＲ１は一緒になって環を形成することができる。Ｒ２及びＲ３は独立して、Ｃ５〜Ｃ２０の線状、分枝状、又は置換アルキル；Ｃ４〜Ｃ２０の線状、分枝状、又は置換アルケニル；Ｃ５〜Ｃ２０の置換又は非置換の環状アルキル；Ｃ５〜Ｃ２０の置換又は非置換のアリール、Ｃ２〜Ｃ４０の置換又は非置換のアルキレンオキシ；Ｃ３〜Ｃ４０の置換又は非置換のアルキレンオキシアルキル；Ｃ６〜Ｃ４０の置換又は非置換のアルキレンアリール；Ｃ６〜Ｃ３２の置換又は非置換のアリールオキシ；Ｃ６〜Ｃ４０の置換又は非置換のアルキレンオキシアリール；Ｃ６〜Ｃ４０のオキシアルキレンアリール；及びこれらの混合物から成る群より選択される。
【００９８】
本発明のアセタール類によって放出可能であるアルデヒド類の非限定例には、４−（４−ヒドロキシ−４−メチルペンチル）−３−シクロヘキセン−１−カルボキシアルデヒド（リラール）、フェニルアセトアルデヒド、メチルノニルアセトアルデヒド、２−フェニルプロパン−１−アル（ヒドロトロプアルデヒド）、３−フェニルプロップ−２−エン−１−アル（シンナムアルデヒド）、３−フェニル−２−ペンチルプロップ−２−エン−１−アル（ａ−アミルシンナムアルデヒド）、３−フェニル−２−ヘキシルプロップ−２−エナル（ａ−ヘキシルシンナムアルデヒド）、３−（４−イソプロピルフェニル）−２−メチルプロパン−１−アル（シクラメンアルデヒド）、３−（４−エチルフェニル）−２，２−ジメチルプロパン−１−アル（フロラロゾン）、３−（４−第三級−ブチルフェニル）−２−メチルプロパナール、３−（３，４−メチレンジオキシフェニル）−２−メチルプロパン−１−アル（ヘリオナル）、３−（４−エチルフェニル）−２，２−ジメチルプロパナール、３−（３−イソプロピルフェニル）ブタン−１−アル（フロリドラル）、２，６−ジメチルヘップ−５−エン−１−アル（メロナール）、ｎ−デカナール、ｎ−ウンデカナール、ｎ−ドデカナール、３，７−ジメチル−２，６−オクタジエン−１−アル（シトラール）、４−メトキシベンズアルデヒド（アニスアルデヒド）、３−メトキシ−４−ヒドロキシベンズアルデヒド（バニリン）、３−エトキシ−４−ヒドロキシベンゾアルデヒド（エチルバニリン）、３，４−メチレンジオキシベンズアルデヒド（ヘリオトロピン）、３，４−ジメトキシベンズアルデヒドが挙げられる。
【００９９】
本発明のケタール類によって放出可能であるケトン類の非限定例には、ａ−ダマスコーン、ｂ−ダマスコーン、ｄ−ダマスコーン、ｂ−ダマセノン、ムスコン、６，７−ジヒドロ−１，１，２，３，３−ペンタメチル−４（５Ｈ）−インダノン（キャッシュメラン）、シス−ジャスモン、ジヒドロジャスモン、ａ−イオノン、ｂ−イオノン、ジヒドロ−ｂ−イオノン、ｇ−メチルイオノン、ａ−イソ−メチルイオノン、４−（３，４−メチレンジオキシフェニル）ブタン−２−オン、４−（４−ヒドロキシフェニル）ブタン−２−オン、メチルｂ−ナフチルケトン、メチルセドリルケトン、６−アセチル−１，１，２，４，４，７−ヘキサメチルテトラリン（トナリド）、ｌ−カルボン、５−シクロヘキサデセン−１−オン、アセトフェノン、デカトン、２−［２−（４−メチル−３−シクロヘキシニル−１−イル）プロピル］シクロペンタン−２−オン、２−第２級−ブチルシクロヘキサノン、ｂ−ジヒドロイオノン、アリルイオノン、ａ−イロン、ａ−セトン、ａ−イリソン、アセタニゾール、ゲラニルアセトン、１−（２−メチル−５−イソプロピル−２−シクロヘキセニル）−１−プロパノン、アセチルジイソアミレン、メチルシクロシトロン、４−ｔ−ペンチルシクロヘキサノン、ｐ−ｔ−ブチルシクロヘキサノン、ｏ−ｔ−ブチルシクロヘキサノン、エチルアミルケトン、エチルペンチルケトン、メントン、メチル−７，３−ジヒドロ−２Ｈ−１，５−ベンゾジオキセピン−３−オン、フェンコンが挙げられる。
【０１００】
オルトエステル類−本発明に従うアコード前駆体として有用な組成物のその他の部類は、以下の式を有するオルトエステル類である。
【０１０１】
【化６】
0004828081.tif 000007
その際、オルトエステルの加水分解は、以下のスキームに従って１当量のエステル及び２当量のアルコールを放出する。
【０１０２】
【化７】
0004828081.tif 000008
式中、Ｒは、水素、Ｃ１〜Ｃ２０アルキル、Ｃ４〜Ｃ２０シクロアルキル、Ｃ６〜Ｃ２０アルケニル、Ｃ６〜Ｃ２０アリール、及びこれらの混合物であり；Ｒ１、Ｒ２、及びＲ３はそれぞれ独立して、Ｃ５〜Ｃ２０線状、分枝状、又は置換アルキル；Ｃ４〜Ｃ２０線状、分枝状、又は置換アルケニル；Ｃ５〜Ｃ２０置換又は非置換の環状アルキル；Ｃ５〜Ｃ２０置換又は非置換のアリール、Ｃ２〜Ｃ４０置換又は非置換のアルキレンオキシ；Ｃ３〜Ｃ４０置換又は非置換のアルキレンオキシアルキル；Ｃ６〜Ｃ４０置換又は非置換のアルキレンアリール；Ｃ６〜Ｃ３２置換又は非置換のアリールオキシ；Ｃ６〜Ｃ４０置換又は非置換のアルキレンオキシアリール；Ｃ６〜Ｃ４０オキシアルキレンアリール；及びこれらの混合物から成る群より選択される。
【０１０３】
オルトエステル芳香前駆体の非限定例には、トリス−ゲラニルオルトホルメート、トリス（シス−３−ヘキサン−１−イル）オルトホルメート、トリス（フェニルエチル）オルトホルメート、ビス（シトロネリル）エチルオルトアセテート、トリス（シトロネリル）オルトホルメート、トリス（シス−６−ノネニル）オルトホルメート、トリス（フェノキシエチル）オルトホルメート、トリス（ゲラニル、ネリル）オルトホルメート（７０：３０ゲラニル：ネリル）、トリス（９−デセニル）オルトホルメート、トリス（３−メチル−５−フェニルペンタニル）オルトホルメート、トリス（６−メチルヘプタン−２−イル）オルトホルメート、トリス（［４−（２，２，６−トリメチル−２−シクロヘキセン−１−イル）−３−ブテン−２−イル］オルトホルメート、トリス［３−メチル−５−（２，２，３−トリメチル−３−シクロペンテン−１−イル）−４−ペンテン−２−イル］オルトホルメート、トリスメンチルオルトホルメート、トリス（４−イソプロピルシクロヘキシルエチル−２−イル）オルトホルメート、トリス−（６，８−ジメチルノナン−２−イル）オルトホルメート、トリス−フェニルエチルオルトアセテート、トリス（シス−３−ヘキセン−１−イル）オルトアセテート、トリス（シス−６−ノネニル）オルトアセテート、トリス−シトロネリルオルトアセテート、ビス（ゲラニル）ベンジルオルトアセテート、トリス（ゲラニル）オルトアセテート、トリス（４−イソプロピルシクロヘキシルメチル）オルトアセテート、トリス（ベンジル）オルトアセテート、トリス（２，６−ジメチル−５−ヘプテニル）オルトアセテート、ビス（シス−３−ヘキセン−１−イル）アミルオルトアセテート、及びネリルシトロネリルエチルオルトブチレートが挙げられる。
【０１０４】
芳香前駆体は以下に適切に記載されている：米国特許第５，３７８，４６８号（１９９５年１月３日、サフィス（Suffis）らに発行）；米国特許第５，６２６，８５２号（１９９７年５月６日、サフィス（Suffis）らに発行）；米国特許第５，７１０，１２２号（１９９８年１月２０日、シビック（Sivik）らに発行）；米国特許第５，７１６，９１８号（１９９８年２月１０日、シビック（Sivik）らに発行）；米国特許第５，７２１，２０２号（１９９８年２月２４日、ワイト（Waite）らに発行）；米国特許第５，７４４，４３５号（１９９８年４月２５日、ハートマン（Hartman）らに発行）；米国特許第５，７５６，８２７号（１９９８年５月２６日、シビック（Sivik）に発行）；米国特許第５，８３０，８３５号（１９９８年１１月３日、セバーンズ（Severns）らに発行）；米国特許第５，９１９，７５２号（１９９９年７月６日、モレリ（Morelli）らに発行）；以上はすべて参考文献として本明細書に組み込まれる。
【０１０５】
乳化剤
乳化剤は化学技術において周知である。本質的に、乳化剤は二つ以上の不溶性又は準不溶性の相を一緒にして、安定した又は準安定したエマルションをもたらすよう作用する。請求する発明において、乳化剤が乳化剤としてだけではなく、トリートメント性能増進剤としても作用できる、二重の目的を果たすことが好ましい。例えば、乳化剤はまた界面活性剤として作用し、それによりクリーニング性能を増進する。一般の乳化剤及び乳化剤／界面活性剤は市販されている。
【０１０６】
添加成分
添加材料は、広範囲に渡って変化させることができ、広範囲の濃度で使用することができる。例えば、洗濯又はクリーニング製品で全て有用なマンガン又は類似の遷移金属を有する大環状型を含む漂白触媒と同様に、プロテアーゼ類、アミラーゼ類、セルラーゼ類、リパーゼ類などの洗浄性酵素を、非常に低い濃度で、又はあまり普通ではないがより高い濃度で、本発明に使用することができる。触媒作用をする添加剤物質、例えば、酵素は「前進」又は「逆進」モードで用いることができ、これは本発明の特定の器具とは無関係に有用な発見である。例えば、リポラーゼ又は他の加水分解酵素は脂肪酸をエステルに転化し、それにより親油性流体の溶解度を増加するために、添加物としてのアルコール類の存在下で任意選択的に使用してもよい。これは「逆進」作用であり、この加水分解酵素の水中での通常使用である、水溶性の低い脂肪酸エステルをより水溶性の高い物質へ転化させることとは対照的である。いずれにしても、任意の添加物成分は親油性流体と組み合わせて使用するのに好適でなければならない。
【０１０７】
好適な洗浄性添加剤の一部には、ビルダー、界面活性剤、酵素、漂白活性化剤、漂白触媒、漂白増進剤、漂白剤、アルカリ性供給源、抗菌剤、着色剤、すでに上述されていない他の香料、すでに上述されていない香料前駆体、仕上げ助剤、ライム石鹸分散剤、組成物悪臭抑制剤、臭気中和剤、高分子染料移行阻害剤、結晶成長阻害剤、光漂白剤、重金属イオン封鎖剤、変色防止剤、抗菌剤、酸化防止剤、再付着防止剤、汚れ放出ポリマー、電解質、ｐＨ調整剤、増粘剤、磨耗剤、二価又は三価のイオン、金属イオン塩、酵素安定剤、腐食阻害剤、ジアミン又はポリアミン及び／又はそのアルコキシレート、泡安定化ポリマー、溶媒、加工助剤、生地柔軟化剤、光学光沢剤、屈水性誘発物質、起泡又は泡立ち抑制剤、起泡又は泡立ち促進剤、生地柔軟剤、静電気防止剤、染料固定剤、染料磨耗阻害剤、剥げ落ち防止剤、皺取り剤、皺予防剤、汚れ放出ポリマー、汚れ忌避剤、日焼け止め剤、色褪せ防止剤、及びこれらの混合物が挙げられるが、これに限定されない。
【０１０８】
「界面活性剤」という言葉は従来、水、親油性流体、又はこの二つの混合物の中において界面活性である物質を称する。幾つかの例証的な界面活性剤には、従来型水性洗剤システム中で使用されるような、非イオン性界面活性剤、カチオン性界面活性剤、及びシリコーン界面活性剤が含まれる。好適な非イオン性界面活性剤には、
ａ）カスプザック（Kasprzak）の米国特許第４６８５９３０号のようなノニルフェノール及びミリスチルアルコールのポリエチレンオキシド縮合物と、
ｂ）脂肪族アルコールエトキシレート類、Ｒ−（ＯＣＨ２ＣＨ２）ａＯＨａ＝１〜１００で、通常は１２〜４０、Ｒ＝炭化水素残基で８〜２０のＣ原子、通常は線状アルキルと、
が含まれるがこれに限定されない。例は、４又は２３のオキシエチレン基とのポリオキシエチレンラウリルエーテル；２、１０又は２０のオキシエチレン基とのポリオキシエチレンセチルエーテル；２、１０、２０、２１又は１００のオキシエチレン基とのポリオキシエチレンステアリルエーテル；２又は１０のオキシエチレン基とのポリオキシエチレン（２）、（１０）オレイルエーテル。市販の例には、アルフォニック（ALFONIC）、ＢＰＩＪ、ゲナポール（GENAPOL）、ネオドール（NEODOL）、サーフォニック（SURFONIC）、トライコール（TRYCOL）が挙げられるがこれに限定されない。またヒル（Hill）らの米国特許第６０１３６８３号も参照のこと。
【０１０９】
好適なカチオン性界面活性剤は次式を有するジアルキルジメチルアンモニウム塩が挙げられるが、これに限定されない。
【０１１０】
Ｒ’Ｒ”Ｎ＋（ＣＨ３）２Ｘ−
ここで、各Ｒ’Ｒ”は、１２〜３０C原子、又はタロー、ココヤシ油、若しくは大豆に由来するものからなる群より独立に選択され、Ｘ＝Ｃｌ又はＢｒである。例として、ジドデシルジメチルアンモニウムブロミド（ＤＤＡＢ）、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナツジメチルアンモニウムクロリド、ジタロージメチルアンモニウムブロミド（ＤＴＡＢ）が挙げられる。市販の例には、アドゲン（ADOGEN）、アークアッド（ARQUAD）、トマー（TOMAH）、バリクアット（VARIQUAT）が挙げられるが、これに限定されない。ヒル（Hill）らの米国特許第６０１３６８３号も参照のこと。
【０１１１】
好適なシリコン界面活性剤には、ジメチルポリシロキサン疎水部分及び一つ又はそれより多い親水性ポリアルキレン側鎖を有するポリアルキレンオキシドポリシロキサンが挙げられるが、これに限定されず、次の一般式を有し、
Ｒ１−（ＣＨ３）２ＳｉＯ−［（ＣＨ３）２ＳｉＯ］ａ−［（ＣＨ３）（Ｒ１）ＳｉＯ］ｂ−Ｓｉ（ＣＨ３）２−Ｒ１
式中、ａ＋ｂは約１〜約５０、好ましくは約３〜約３０、更に好ましくは約１０〜約２５であり、各Ｒ１は同一であるか又は異なり、メチル及び次の一般式を有するポリ（エチレンオキシド／プロピレンオキシド）コポリマー基から成る群より選択され、
−（ＣＨ２）ｎＯ（Ｃ２Ｈ４Ｏ）ｃ（Ｃ３Ｈ６Ｏ）ｄＲ２
少なくとも１個のＲ１はポリ（エチレンオキシド／プロピレンオキシド）コポリマー基であり、その際、ｎは３又は４、好ましくは３であり；（全てのポリアルキレンオキシ側基の）ｃの合計は１〜約１００、好ましくは約６〜約１００の値を有し；ｄの合計は０〜約１４、好ましくは０〜約３であり；更に好ましくはｄは０であり；ｃ＋ｄの合計の値は約５〜約１５０、好ましくは約９〜約１００の値を有し、各Ｒ２は同一であるか又は異なり、水素、１〜４個の炭素原子を有するアルキル基、及びアセチル基、好ましくは水素及びメチル基から成る群より選択される。これらの界面活性剤の例は、ヒル（Hill）の米国特許第５７０５５６２号及びヒル（Hill）の米国特許第５７０７６１３号に見ることができ、これら二つを参考として本願に取り入れる。
【０１１２】
この型の界面活性剤の例には、コネチカット州（Danbury， Connecticut）のＣＫウィトコ（Witco）ＯＳｉディビジョンから入手可能なシルウェット（the Silwet（登録商標））界面活性剤がある。典型的なシルウェット（Silwet）界面活性剤は次のとおりである。
【０１１３】
【表１】
0004828081.tif 000009
ポリアルキレンオキシ基（Ｒ１）の分子量は、約１０，０００以下である。好ましくは、ポリアルキレンオキシ基の分子量は約８，０００以下、最も好ましくは約３００〜約５，０００の範囲である。したがって、ｃ及びｄの値は、これらの範囲の分子量を与える数であり得る。しかしながら、ポリエーテル鎖（Ｒ１）中のエチレンオキシ単位（−Ｃ２Ｈ４Ｏ）の数は、ポリアルキレンオキシドポリシロキサンを水分散性又は水溶性にするのに十分な値でなければならない。ポリアルキレンオキシ鎖にプロピレンオキシ基が存在するとき、それらは鎖中にランダムに分布するか、又はブロックとして存在し得る。好ましいシルウェット（Silwet）界面活性剤は、Ｌ−７６００、Ｌ−７６０２、Ｌ−７６０４、Ｌ−７６０５、Ｌ−７６５７、及びこれらの混合物である。表面活性の他にも、ポリアルキレンオキシドポリシロキサン界面活性剤は、布地に対して帯電防止の利益及び柔軟性などの他の利益をもたらすこともできる。
【０１１４】
ポリアルキレンオキシドポリシロキサン類の調製は当該技術分野において周知である。本発明のポリアルキレンオキシドポリシロキサン類は、米国特許第３，２９９，１１２号に開示された手順に従って調製することができ、これは参考として引用し、本明細書に組み入れる。
【０１１５】
その他の好適なシリコーン界面活性剤はＳＦ−１４８８であり、ＧＥシリコーン液（GE silicone fluids）より入手可能である。
【０１１６】
親油性流体と組み合わせて添加物として使用するのに好適なこれら及び他の界面活性剤は、当該技術分野で周知であり、更に詳細にはカークオスマー（Kirk Othmer）の工業化学百科事典（Encyclopedia of Chemical Technology）、第３版、第２２巻、３６０〜３７９ページ「界面活性剤及び洗剤システム（Surfactants and Detersive Systems）」に記載されており、参考として本明細書に取り入れる。更に好適な非イオン性の洗浄性界面活性剤は、１９７５年１２月３０日に発行されたローリン（Laughlin）らの米国特許第３，９２９，６７８号の１３段１４行〜１６段６行に概ね開示されており、本明細書に参考として組み入れる。
【０１１７】
添加物は又、静電気防止剤であってよい。洗濯及びドライクリーニング技術において用いられるいかなる好適な周知の静電気防止剤も、本発明の方法及び組成物に用いるのに好適である。静電気防止剤として特に好適なものは、静電気防止利益をもたらすとして知られている布地柔軟剤の部分である。例えば、Ｎ、Ｎ−ジ（タローオイル−オキシ−エチル）−Ｎ、Ｎ−ジメチルアンモニウム硫酸メチルなどの、２０超過のヨード価を有する脂肪族アシル基を有する布地柔軟剤。しかし、当然のことながら，静電気防止剤という用語は、布地柔軟剤のこの部分だけに限らず、全ての静電気防止剤を含むものである。
【０１１８】
着色剤
本明細書で用いる場合「着色剤」とは、親油性流体（例えば、シロキサン溶媒）洗浄媒体組成物を含む、親油性流体（例えば、シロキサン）による自動洗濯工程に用いられる組成物に、色を付与する目的だけで添加されるあらゆる物質（染料及び色素が挙げられる）であり、その一方でこの物質が親油性流体による自動洗濯工程中に親油性流体洗浄媒体と接触するすべての布地との接触において安全である。本発明の組成物及び工程における着色剤の安全性は、白色布地と潜在的な着色剤を、自動親油性流体選択工程中で接触させることで決定され、それによって本明細書で使用される着色剤の安全は、以下の試験によって決定されるものとし白色布地において、非常に少ないか、又は目で確認できない着色である。
【０１１９】
・種々の布地含有量の白色布地見本（各３）は、着色剤からの染料転染のトレーサーとして使用され、
・各布地見本は、ハンター白色度スケール（Hunter Whiteness Scale）における基準線値を決定するために測定され、
・測定は、Ｃ／２°の発光体を発生する最適な分光分析装置を使用して実行され、
・値はＬｈ、ａｈ、及びｂｈとして記録され、
・見本は続いて洗浄され、潜在的な着色剤の存在下で乾燥され、
・見本トレーサーの分光光度計による測定は、予め定められたサイクルの最後に行われ、
・差異は、最初と最後との間で計算され、デルタＥ値として記録され、
・デルタＥ＝平方根｛（Ｌｈｉ−Ｌｈｆ）２＋（ａｈｉ−ａｈｆ）２＋（ｂｈｉ−ｂｈｆ）２｝、
・３回以上のサイクルにおける顕著な差異は、＞＝５のデルタＥとして定義される。
【０１２０】
着色剤はこうした組成物又は洗浄工程に色を付与する以外の目的で添加された活性成分は含まないことを認識する必要がある。例えば、界面活性剤は幾らかの低濃度の不純物のために、通常僅かに色が付いており、光漂白剤は通常青い色合いを溶液に与え、光沢剤は幾らかの色付けをする可能性もある。このように本発明の組成物及び工程は通常こうした活性成分を含み、本発明による着色剤は通常こうした活性成分により生成されるいかなる色をも隠したり、又は補完したりするために活性成分と共に添加される。
【０１２１】
着色剤は一般に周知であるが、本発明の工程及び組成物、特にシロキサン溶媒システムに用いられる場合の着色剤の選択は、着色剤が用いられる目的と同様に、洗浄工程条件、及び着色剤と接触する可能性のある広範囲にわたる典型的な布地について、念入りな考察を必要とする。特に親油性流体（例えば、シロキサン溶媒）に添加される組成物中で用いられる着色剤は、洗浄工程中に望ましい美しさを組成物に提供するために組成物中に通常存在する。こうした組成物は、通常クリーニング剤（例えば、界面活性剤、ポリマー、酵素、漂白剤）及び／又は布地トリートメント剤（例えば、柔軟剤、静電気防止剤、光沢剤）を洗浄工程に供給するのに添加される。着色剤は、このようにして消費者にとってより望ましい組成物、例えば、青い液体洗濯洗剤又は緑の斑点の入った洗濯粉末を提供する。
【０１２２】
こうした着色剤はこうした組成物の中で安定しており、着色剤が接触することになる他の添加物成分に適合しなくてはならないだけでなく、洗浄媒体から洗浄媒体が接触する布地上に付着してはならない（即ち、これ以前に提供した試験で定義されたようにそれらは安全でなくてはならない）。こうした組成物の中で用いられる着色剤が、工程のために用いる自動洗濯機の親油性流体（特にシロキサン溶媒）回復システムにより（完全に若しくは少なくとも主要部分は）（例えば、濾過及び／若しくは蒸留により）除去可能であること、並びに／又は着色剤が、工程中で用いる親油性流体システムに色付けするために用いるあらゆる着色剤システムと適合性があること、並びに／又は着色剤は洗浄工程中に利用される他の条件により、容易に（完全に若しくは少なくとも主要部分は）破壊されること、はまた大いに望ましいことである。着色剤の破壊は、いかなる手段でもよく、化学的（例えば、酸化及び／又は還元反応）、機械的（例えば、超音波）、電気的、及び／又は熱的な分解が挙げられるが、これに限定されない。これは、例えば、システム中のオゾンを用いて着色剤を破壊するか、又は布地の乾燥のような加熱段階の間に破壊することを含む。着色剤を選択する際の更なる考察は、何らかの色を提供する他の添加活性成分との色の適合性である。
【０１２３】
親油性流体（例えば、シロキサン）洗浄溶液の着色料としての着色剤の使用には、システムに添加される組成物に用いられる着色剤と同様な上記の要件を有し−この着色剤は洗浄工程において少なくとも部分的には（洗浄工程の少なくとも一部分の間、洗浄媒体に望ましい着色を提供するために必要な程度まで）安定してなければならず、また洗浄媒体から洗浄媒体と接触する布地に付着してはならない（即ち、これ以前に提供された試験により定義されるように安定してなければならない）。こうした着色剤は自動機械により行われる再生利用及び回復工程に対して安定していることが望ましいが、各洗濯物に伴う洗浄媒体に添加される組成物が、洗浄媒体に望ましい色付けを提供するのに十分な濃度で着色剤を含むか、又は何か他の補充工程による場合はその必要はない。
【０１２４】
親油性流体（例えば、シロキサン溶媒）に色付けするのに用いられる着色剤、及び各洗濯物と共に添加される組成物の中に配合された着色剤が協力して働くように、着色システムを設計することもまた可能である。例えば、添加した組成物の着色剤は、親油性流体（例えば、シロキサン溶媒）システムに色付けするために用いられる着色剤と適合するように、配合されてもよく、それは前の洗浄サイクルで部分的に失われた、親油性流体色付け着色料を補充するために望ましいであろう。また着色システムは、組成物と共に添加される着色剤が親油性流体（例えば、シロキサン）洗浄媒体の色を変えるが、洗浄工程のある段階で続いて除去されるように設計することも可能である（例えば、シロキサンの色合いはオゾン処理段階に達すると色が変わり、溶媒は溶媒回復工程が完了すると元の色に戻る）。
【０１２５】
更に着色システムを、着色剤が親油性流体に選択的に溶解する、及び／又は水に選択的に溶解するように利用することも可能であり、これは水性エマルション（例えば、シロキサンエマルション）を洗浄媒体として用いる場合に望ましい可能性がある。これは、エマルションが壊れた場合に水及び親油性流体相を観察する能力をも含んで、エマルションの状態を容易にモニターするために有用である可能性がある。
【０１２６】
起泡剤
親油性流体（特にシロキサン）洗浄媒体及びクリーニングシステムには自然の泡立ちが欠けているため、選択システム及び／又は消費者の要求に合う、泡を発生させるための特別添加成分の必要が生まれた。本明細書で用いられる場合「起泡剤」とは、親油性流体（例えば、シロキサン）洗浄媒体に含まれた場合、自動洗濯機の動作中に観察できる起泡効果を生じるいかなる化合物、及び／又は化合物の混合物を意味する。そのため起泡剤はまた、起泡特性を有する精選された界面活性剤及び／又は乳化剤と同様に、起泡又は起泡増進剤として作用する物質を含む。起泡特性は、一般的には周知であり、例えば、ライ及びディキット（Lai and Dixit）による「起泡添加剤（Additives for Foams）」、「泡、理論、測定、及び装置（Foams, Theory, Measurements, and Applications）」の３１５頁以降、（１９９６年、ニューヨーク州、マーセルデッカー社（Marcel Dekker, Inc）著作権所有；プラッドホーム及びカーン（Prud'homme and Khan）編）に記載されている。
【０１２７】
特に起泡剤は親油性流体洗浄工程に、一つ以上の起泡剤を含有する組成物の添加によるか、又は別の起泡剤組成物の添加によるか（自動皿洗い機に「すすぎ補助」を別に添加するのと同様に）のどちらにより導入されてもよいが、こうした一つ以上の起泡剤を含有する組成物は、通常クリーニング剤（例えば、界面活性剤、ポリマー、酵素、漂白剤）、及び／又は布地トリートメント剤（例えば、柔軟剤、静電気防止剤、光沢剤）を洗浄工程に供給するのに添加される。こうした起泡剤はこうした組成物中において安定していて、起泡剤と接触することになる他の添加成分と適合しなくてはならないだけでなく、洗浄媒体から洗浄媒体が接触する布地上に付着した場合に悪影響を与えてはならない。
【０１２８】
また起泡剤は、工程用に用いる自動洗濯機の親油性流体（特にシロキサン溶媒）回復システムにより（完全に若しくは少なくとも主要部分は）（例えば、濾過及び／又は蒸留により）除去可能であること、並びに／又は洗浄工程中に利用される他の条件により、容易に（完全に若しくは少なくとも主要部分は）破壊されること、は大いに望ましいことである。起泡剤の破壊はいかなる手段でもよく、化学的（例えば、酸化及び／又は還元反応）、機械的（例えば、超音波）、電気的、及び／又は熱的な分解が挙げられるが、これに限定されない。これは、例えば、システム中のオゾンを用いて起泡剤を破壊するか、又は布地の乾燥のような加熱段階の間に破壊することを含む。あるいは、起泡剤が親油性流体の回復の後に再使用可能であれば、こうした起泡剤は、自動機械により行われる再生利用及び回復工程に対して安定していることが望ましい。各洗濯物と共に洗浄媒体に添加される組成物が、前の洗浄サイクルで失われた起泡剤の量を補充するのに十分な濃度で起泡剤を含む場合には、完全なる安定性は必要でない。
【０１２９】
消費者の要求を満たすために適正な泡立ち性能を設計する一方で、機械動作への悪影響を避けるため、又は親油性流体（例えば、シロキサン溶媒）を容易に再生利用又は回復させるために、念入りな考察がなされなければならない。そのため、洗浄媒体中の起泡剤の濃度を決定するために、使用する機械と工程の型を考察することが必要である。例えば、布地物品に洗浄媒体を分散するために噴霧ノズルを利用する工程では、洗浄媒体の撹拌に回転ドラムのみを使用する浸漬浴工程よりも、低濃度の起泡剤から、より多くの泡立ちを生成しやすい。当該技術分野における一般的技術の一つによれば、こうした泡立ち特性と用いる機械及び工程が適合するのに必要な濃度を容易に選択できる。
【０１３０】
最後に、起泡剤を含有する組成物は、添加された水を、親油性流体と不混和又は混和のいずれかにおいて（例えば、エマルションとして）含んでもよい。通常水は、親油性流体含有洗浄媒体（例えば、シロキサン洗浄媒体）に少なくとも約０．１％（又は少なくとも約０．５％、又は少なくとも約１％）の濃度で起泡剤と共に添加される。
【０１３１】
方法
本発明工程において、シロキサンを含有する洗浄媒体と布地物品を接触させる特別な方法は、自動洗濯機により洗濯物の中の布地物品を完全に濡らす結果となるいかなる方法であってもよく、これは布地物品の小さい場所を濡らす、及び／又は手で濡らすこととは対照的である。これには、洗浄媒体の浸漬浴の中で布地物品と接触すること、又は好ましくは、より少量の洗浄媒体を用いることが挙げられ、これは例えば、布地物品を均一に濡らす噴霧のように、少量の濡らし手段により可能である。最も好ましいのは、少なくとも一つの非浸漬段階を含む方法を用いた布地物品の接触が挙げられ、この工程では布地物品を洗浄媒体により（好ましくは均一な噴霧により）、例えば、洗濯物の中の布地物品僅か約２００重量％未満（又は約１５０重量％未満）の程度まで濡らす。
【０１３２】
本発明の一つの態様では、布地物品と約５０％未満の水を含む洗浄媒体の接触を伴うが、水はより好ましくは約３０％未満、約２０％未満、約１０％未満、約５％未満、約１％未満であり、最も好ましくは有意に水は全く添加されない。しかしながら、本発明のその他の態様では、有意に添加された少量の水はシロキサンと共に洗浄媒体の一部であり、例えば、シロキサンと混和しないか、又はシロキサン、水、及び通常は乳化剤を含んでなるエマルションとしてのいずれかで含まれる。好ましくは、水は約０．１％〜約５０％、より好ましくは約０．１％〜約３０％、約０．１％〜約２０％、約０．１％〜約１０％、約０．１％〜約５％、及び約０．１％〜約１％含んでなる。
【０１３３】
明らかに、本発明工程では水性洗濯工程用に開発された、現在の伝統的自動洗濯機は使用できない。本工程に有用な自動洗濯機は水源に接続されているかもしれないが、現在の工程を実行するためのこうした接続は、単独で有意に添加する任意の水を供給するためである。シロキサンの供給が必要であり、好ましくは現在の工程に用いるための容器に貯蔵され、家庭内自動洗濯工程において、布地物品と接触した後に、シロキサンはこの容器に（好適な清浄工程に続いて）戻される。
【０１３４】
商業用ドライクリーニングの浸漬工程のために定義される多様な成分を有する装置は、２０００年５月９日に発行された米国特許第６，０５９，８４５号、及び２０００年５月１６日に発行された米国特許第６，０６３，１３５号に記載されており（両方のすべてを参考として本明細書に組み入れる）、住居の大きさ及び消費者のメンテナンスについて改良されれば、本発明工程の実行に用いることが可能であるが、浸漬工程は本発明では好ましくない。理由には、家庭内で、より多量のシロキサンを供給、保管、及び清浄することに関連する制約（これらの特許に記載されている商業用ドライクリーナーの大きさ及び動作に対して）が挙げられる。
【０１３５】
これらの理由により、上記のように布地物品をより少量の洗浄媒体により完全に濡らす均一噴霧工程を使用するなどの、より少量の工程が大いに好ましい。例えば、水洗浄媒体ではなく、低濃度のシロキサン含有洗浄媒体を供給するために、従来の少量用水洗浄電気器具の改良を考察する必要があり、こうした従来の水洗浄電気器具は、例えば、米国特許第４，４８９，５７４号、第４，４８９，４５５号、第５，１９１，６６９号、５，１９１，６６８号、第５，２３３，７１８号、及び第５，６７１，４９４号に記載されており、これらのすべてを参考として本明細書に組み入れる。この少量工程に有用な、最も好ましい自動洗濯機は、同時出願、同時継続特許出願、Ｐ＆Ｇ件名８１１９Ｐに詳細に記載されており、そのすべてが参考文献として本明細書に組み込まれる。更に好ましいのは、すべての洗浄媒体が噴霧されるまでに、断続的な回転と噴霧に続く無作為の転回によって、布地物品がシロキサン含有洗浄媒体で均一に覆われることを保証する自動洗濯機である。また好ましいのは、シロキサン含有洗浄媒体を、迅速な再使用／再循環作業を介して再使用するような機械であり、この作業は、例えば、洗浄媒体を布地物品から抽出した後、粒子除去フィルターに通し、その後直ちに布地物品にこれを噴霧することによる。
【０１３６】
本発明工程を実行するのに更に好ましい自動洗濯機は、同一装置内で布地物品を乾燥するようにも設計されている。これにより、消費者は濡れた布地物品に手を触れる必要がなくて便利なだけでなく、すべてのシロキサンを再使用又は清浄のために回復することができる。
【０１３７】
消費者に望まれる、布地物品の清浄及び／又は処理のための添加物も工程に添加してもよい。そのため自動洗濯機は、洗浄媒体と共にか又は別々に、望ましい時間に自動洗濯工程で、こうした添加物を受け取る及び／又は散布するための容器を好ましくは含む。取り外し可能なように機械に取りつけられた、こうした添加物を含有するカートリッジ（詰め替えによるか、又は添加剤と共に購入するか）の実行はまた任意である。特に好ましい添加物は、本家庭内自動洗濯工程において、シロキサン含有洗浄媒体と組み合わされた場合に、静電気防止剤として機能するいかなる物質でもよい。
【０１３８】
自動洗濯機の追加の好ましい特徴は、シロキサンを一つ以上の自動洗濯工程において清浄、及び再使用する能力である。複数使用のため、シロキサンを清浄する好ましい手段は、取り外し可能なフィルターである。こうしたフィルターは、好ましくは家庭内自動洗濯工程中に、布地物品から除去された少なくとも生地汚れを除去及び収集できるフィルター物質を含む。活性チャコール、シリカ、分子ふるい、及び／又は疎水変性紙は、こうしたフィルターのまさに幾つかの任意成分である。自動洗濯機への取り付けは、好ましくは消費者が決まった間隔で容易にこれを置き換えられるような手段による。
【０１３９】
主題発明の特定の実施形態を記載したが、本発明の精神及び範囲から逸脱することなく、主題発明の様々な変形形態や修正形態が可能であることは熟練技術者には明らかであろう。本発明の範囲内にあるこうした全ての変更については、添付の特許請求の範囲において扱うつもりである。